(57)【要約】【課題】構成の簡素化を図り、部材点数の増加を招くことなく、設置対象箇所に対応する吊下げ状態に変更可能な物干し器の提供。【解決手段】複数のピンチ２を有する物干し枠３と、設置対象箇所１９に引っ掛け自在なフック部１４と、そのフック部１４と物干し枠３とを連結して物干し枠３を吊下げ支持する吊下げ支持体２０とが備えられ、吊下げ支持体２０は、物干し枠３に一端部が連結され且つフック部１４に他端部が連結された複数の紐状体６〜９を備え、複数の紐状体の少なくとも一部６，７は、物干し枠３とは反対側の他端部の連結箇所をフック部１４とは異なる箇所に変更自在に構成され、吊下げ支持体２０は、複数の紐状体の少なくとも一部６，７における他端部の連結箇所を変更することで、物干し枠３の吊下げ状態を変更可能に構成されている。【選択図】図６
2018050773.tif 000002
【特許請求の範囲】
【請求項１】
複数のピンチを有する物干し枠と、設置対象箇所に引っ掛け自在なフック部と、そのフック部と前記物干し枠とを連結して前記物干し枠を吊下げ支持する吊下げ支持体とが備えられ、前記吊下げ支持体は、前記物干し枠に一端部が連結され且つ前記フック部に他端部が連結された複数の紐状体を備え、前記複数の紐状体の少なくとも一部は、前記物干し枠とは反対側の他端部の連結箇所を前記フック部とは異なる箇所に変更自在に構成され、前記吊下げ支持体は、前記複数の紐状体の少なくとも一部における他端部の連結箇所を変更することで、前記物干し枠の吊下げ状態を変更可能に構成されている物干し器。
【請求項２】
前記吊下げ支持体は、前記複数の紐状体における他端部の連結箇所を前記フック部とする第１吊下げ状態と、前記複数の紐状体の一部における他端部の連結箇所を他の紐状体の途中部位とする第２吊下げ状態とに変更自在に構成されている請求項１に記載の物干し器。
【請求項３】
前記複数の紐状体は、一端部の連結箇所が前記物干し枠の中央部に対して一方側と他方側とに分散配置され、前記吊下げ支持体は、前記第２吊下げ状態において、一端部の連結箇所が前記物干し枠の中央部に対して一方側に配置された紐状体における他端部の連結箇所を、一端部の連結箇所が前記物干し枠の中央部に対して他方側に配置された紐状体の途中部位としている請求項２に記載の物干し器。
【請求項４】
前記紐状体の途中部位には、他の紐状体における他端部の連結箇所を示す目印部が備えられている請求項２又は３に記載の物干し器。
【請求項５】
前記複数の紐状体の夫々は、複数のリング部が連設されたチェーンにて構成され、複数のチェーンの少なくとも一部には、その途中部位に他の部位よりも大径な大径のリング部が配置され、その大径のリング部の配置位置は、他の紐状体となる他のチェーンにおける他端部の連結箇所に対応する位置に設定されている請求項２〜４の何れか１項に記載の物干し器。
【発明の詳細な説明】
【技術分野】
【０００１】
本発明は、屋外や屋内において洗濯物等の被干し物を干すために使用される物干し器に関する。
【背景技術】
【０００２】
上記のような物干し器は、複数のピンチを有する物干し枠と、物干し竿、鴨居や引き出し等の設置対象箇所に引っ掛け自在なフック部と、フック部と物干し枠とを連結して物干し枠を吊下げ支持する吊下げ支持体とを備えている（例えば、特許文献１参照。）。
【０００３】
特許文献１に記載の物干し器では、物干し竿に設置する場合に、吊下げ支持体にて連結するフック部と物干し枠との長さを調整することで、フック部を物干し枠の中心又は略中心上に位置させる鉛直吊下げ状態として、フック部を物干し竿に引っ掛けている。また、鴨居や引き出し等に設置する場合に、吊下げ支持体にて連結するフック部と物干し枠との長さを調整することで、フック部を物干し枠の中心から横幅方向の一方側に偏位する横掛け吊下げ状態として、物干し枠を鴨居下方の固定部や引き出しの前面等に当て付けた状態で、フック部を鴨居や引き出し等に引っ掛けている。このように、特許文献１に記載の物干し器では、物干し竿に限らず、鴨居や引き出し等を設置対象箇所とする場合でも、物干し枠を水平姿勢又は略水平姿勢の所望姿勢にて吊下げ支持して、物干し器を使用できるようにしている。
【先行技術文献】
【特許文献】
【０００４】
【特許文献１】特許第５４７２８５９号公報
【発明の概要】
【発明が解決しようとする課題】
【０００５】
上記特許文献１に記載の物干し器では、設置対象箇所を物干し竿等とする場合に、吊下げ状態を鉛直吊下げ状態に変更し、設置対象箇所を鴨居や引き出し等とする場合に、吊下げ状態を横掛け吊下げ状態に変更している。そして、吊下げ状態を変更するために、吊下げ支持体にて連結するフック部と物干し枠との長さを調整しており、そのために、吊下げ支持体の途中部位を屈曲させる部材や、吊下げ支持体の途中部位を屈曲させた状態に保持する部材等を備えている。よって、特許文献１に記載の物干し器では、吊下げ状態を変更するために、部材点数の増加や構成の複雑化を招く可能性がある。
【０００６】
この実情に鑑み、本発明の主たる課題は、構成の簡素化を図り、部材点数の増加を招くことなく、設置対象箇所に対応する吊下げ状態に変更可能な物干し器を提供する点にある。
【課題を解決するための手段】
【０００７】
本発明の第１特徴構成は、複数のピンチを有する物干し枠と、設置対象箇所に引っ掛け自在なフック部と、そのフック部と前記物干し枠とを連結して前記物干し枠を吊下げ支持する吊下げ支持体とが備えられ、前記吊下げ支持体は、前記物干し枠に一端部が連結され且つ前記フック部に他端部が連結された複数の紐状体を備え、前記複数の紐状体の少なくとも一部は、前記物干し枠とは反対側の他端部の連結箇所を前記フック部とは異なる箇所に変更自在に構成され、前記吊下げ支持体は、前記複数の紐状体の少なくとも一部における他端部の連結箇所を変更することで、前記物干し枠の吊下げ状態を変更可能に構成されている点にある。
【０００８】
本構成によれば、吊下げ支持体は、複数の紐状体の少なくとも一部における他端部の連結箇所を変更するだけで、物干し枠の吊下げ状態を変更することができる。これにより、使用者は、設置対象箇所がどのような箇所であるかによって、複数の紐状体の少なくとも一部における他端部の連結箇所を変更するという簡易な操作によって、設置対象箇所に応じた吊下げ状態を現出することができる。よって、構成の簡素化を図ることができ、部材点数の増加を招くことなく、設置対象箇所に対応する吊下げ状態に変更可能となる。
【０００９】
本発明の第２特徴構成は、前記吊下げ支持体は、前記複数の紐状体における他端部の連結箇所を前記フック部とする第１吊下げ状態と、前記複数の紐状体の一部における他端部の連結箇所を他の紐状体の途中部位とする第２吊下げ状態とに変更自在に構成されている点にある。
【００１０】
本構成によれば、第１吊下げ状態から第２吊下げ状態に変更する場合には、使用者が、複数の紐状体の一部における他端部の連結箇所を、フック部から他の紐状体の途中部位に変更すればよい。また、第２吊下げ状態から第１吊下げ状態に変更する場合には、使用者が、複数の紐状体の一部における他端部の連結箇所を、他の紐状体の途中部位からフック部に変更すればよい。よって、複数の紐状体の一部における他端部の連結箇所を変更する際に、その変更箇所が明確となり、誤操作等も生じ難く、吊下げ状態の変更操作を簡易に且つ適切に行うことができる。
【００１１】
本発明の第３特徴構成は、前記複数の紐状体は、一端部の連結箇所が前記物干し枠の中央部に対して一方側と他方側とに分散配置され、前記吊下げ支持体は、前記第２吊下げ状態において、一端部の連結箇所が前記物干し枠の中央部に対して一方側に配置された紐状体における他端部の連結箇所を、一端部の連結箇所が前記物干し枠の中央部に対して他方側に配置された紐状体の途中部位としている点にある。
【００１２】
本構成によれば、第２吊下げ状態とする場合に、物干し枠の中央部に対して物干し枠の連結箇所が一方側と他方側とに分散配置された複数の紐状体について、一方側に配置された紐状体における他端部の連結箇所を、他方側に配置された紐状体の途中部位に変更するので、複数の紐状体にて連結されるフック部と物干し枠との間の長さを、物干し枠の中央部に対して一方側の方が他方側よりも長くなるように調整することができる。これにより、フック部を物干し枠の中央部に対して他方側に偏位させても、物干し枠を所望姿勢に吊下げ支持することができる。よって、例えば、鴨居や引き出し等を設置対象箇所とする場合に、第２吊下げ状態として、フック部を物干し枠の中央部に対して他方側に偏位させることで、物干し枠を所望姿勢に吊下げ支持して物干し器を適切に使用することができる。
【００１３】
本発明の第４特徴構成は、前記紐状体の途中部位には、他の紐状体における他端部の連結箇所を示す目印部が備えられている点にある。
【００１４】
本構成によれば、複数の紐状体の一部における他端部の連結箇所を、フック部から他の紐状体の途中部位に変更する際に、使用者は、目印部を目標に連結箇所の変更操作を行うことができ、誤った箇所に連結箇所を変更させる等の誤操作の発生を適切に防止することができる。
【００１５】
本発明の第５特徴構成は、前記複数の紐状体の夫々は、複数のリング部が連設されたチェーンにて構成され、複数のチェーンの少なくとも一部には、その途中部位に他の部位よりも大径な大径のリング部が配置され、その大径のリング部の配置位置は、他の紐状体となるチェーンにおける他端部の連結箇所に対応する位置に設定されている点にある。
【００１６】
本構成によれば、複数のチェーンの一部における他端部の連結箇所を、フック部から他のチェーンの途中部位に変更する際に、使用者は、チェーンの連結箇所を他の部位と識別可能な大径のリング部に変更するだけでよく、誤操作等の発生を防止できるとともに、小径のリング部よりも大径のリング部に連結することから、その連結操作自体も簡易なものとなる。
【００１７】
また、紐状体がチェーンにて構成されていることから、大径のリング部だけでなく、その大径のリング部よりも上方側又は下方側にも、複数のチェーンの一部における他端部を連結させることができる。これにより、複数のチェーンの一部における他端部の連結箇所は、大径のリング部を基準として、それよりも上方側又は下方側にも位置調整することができる。
【図面の簡単な説明】
【００１８】
【図１】物干し器の斜視図
【図２】物干し器の平面図
【図３】ドアに引っ掛けた状態における物干し器の斜視図
【図４】ドアに引っ掛けた状態における物干し器の側面図
【図５】紐状体の連結箇所を変更する途中における物干し器の斜視図
【図６】紐状体の連結箇所を変更して鴨居等の設置対象箇所に引っ掛けた状態における物干し器の側面図
【図７】別実施形態における物干し器の平面図
【発明を実施するための形態】
【００１９】
本発明に係る物干し器の実施形態を図面に基づいて説明する。
この物干し器１は、図１及び図２に示すように、洗濯物等の干し物を着脱自在に吊下げ支持する複数のピンチ２と、それら複数のピンチ２を吊下げ支持する物干し枠３と、設置対象箇所に引っ掛け自在なフック部１４と、物干し枠３を吊下げ支持する吊下げ支持体２０とを備えている。
【００２０】
物干し枠３は、図２に示すように、平面視で長辺部と短辺部とを有する長方形の環状に形成されている。物干し枠３には、長辺部において両端部と中央部との間に相当する位置に、物干し枠３の対向する部位同士を連結する横杆５が備えられている。物干し枠３には、その周方向に間隔を隔てて複数のピンチ２がピンチ取付具４により吊下げ支持されている。また、横杆５にも、その長手方向に間隔を隔てて複数のピンチ２がピンチ取付具４により吊下げ支持されている。詳細な図示は省略するが、一端部にピンチ２が取り付けられたピンチ取付具４の他端部を、物干し枠３及び横杆５に形成された取付孔に取り付けることで、ピンチ２がピンチ取付具４により吊下げ支持されている。
【００２１】
フック部１４は、板状の基台１５から上方側に延びて円弧状に湾曲するように備えられている。基台１５には、フック部１４とは反対側となる下方側に延びる棒状の把持部１６が備えられ、使用者が把持部１６を保持することで、物干し器１を持ち上げる等の移動操作が可能となっている。フック部１４と基台１５と把持部１６とは一体的に備えられている。
【００２２】
吊下げ支持体２０は、フック部１４と物干し枠３とを連結可能な複数の紐状体６〜９を備えている。この実施形態では、第１紐状体６と第２紐状体７と第３紐状体８と第４紐状体９との４つが備えられている。複数の紐状体６〜９の夫々は、複数のリング部１０，１１が連設されたチェーンにて構成されており、同じ又は略同じ長さに構成されている。
【００２３】
複数の紐状体６〜９の夫々は、一端部（下端部）が紐状体取付具１２により物干し枠３に連結可能で、且つ、他端部（上端部）が紐状体取付具１２によりフック部１４に連結可能に構成されている。詳細な図示は省略するが、一端部に紐状体６〜９が取り付けられた紐状体取付具１２の他端部を、物干し枠３に形成された取付孔に取り付けることで、紐状体６〜９の一端部を物干し枠３に連結可能に構成されている。同様に、一端部に紐状体６〜９が取り付けられた紐状体取付具１２の他端部を、フック部１４を備えた基台１５に形成された取付孔に取り付けることで、紐状体６〜９の他端部をフック部１４に連結可能に構成されている。
【００２４】
複数の紐状体６〜９は、図２に示すように、フック部１４を物干し枠３の中心上に位置させた場合に、物干し枠３の中心（フック部１４の存在位置）に対して対称に位置するように配置されている。図２において、物干し枠３の長手方向を横方向とし且つ物干し枠３の短手方向を上下方向として見た場合に、第１紐状体６が物干し枠３の中心から左上側に延びるように配置され、第２紐状体７が物干し枠３の中心から右上側に延びるように配置され、第３紐状体８が物干し枠３の中心から左下側に延びるように配置され、第４紐状体９が物干し枠３の中心から右下側に延びるように配置されている。つまり、物干し枠３に対する複数の紐状体６〜９における連結箇所（以下、下方側連結箇所と略称する）は、物干し枠３の中心に対して、第１紐状体６と第３紐状体８とが対称に位置するように配置されているとともに、第２紐状体７と第４紐状体９とが対称に位置するように配置されている。
【００２５】
複数の紐状体６〜９のうち、平面視で物干し枠３の短辺部に沿う方向で一端側（図２において物干し枠３の長手方向を横方向とし且つ物干し枠３の短手方向を上下方向として見た場合に、図２中下側）に位置する紐状体８、９には、その途中部位同士を連結する中間連結部１３が備えられている。この実施形態では、中間連結部１３も、複数の紐状体６〜９と同様に、複数のリング部１０を連設したチェーンにて構成されており、第３紐状体８の途中部位と第４紐状体９の途中部位とを連結している。中間連結部１３は、第３紐状体８及び第４紐状体９の長さ方向において同一位置を連結するように構成されており、例えば、図１に示すように、フック部１４を物干し枠３の中心上に位置させた場合に、中間連結部１３が水平方向に延びる姿勢となるようにしている。
【００２６】
上述の如く、複数の紐状体６〜９の夫々は、複数のリング部１０，１１を連設したチェーンにて構成されているが、複数の紐状体６〜９の一部には、その途中部位に他の部位よりも大径のリング部１１が配置されている。この実施形態では、第３紐状体８及び第４紐状体９が、小径のリング部１０と大径のリング部１１との２種類から構成されており、その長さ方向の途中部位に大径のリング部１１が１つ配置されており、それ以外の部位が小径のリング部１０となっている。そして、第１紐状体６、第２紐状体７及び中間連結部１３は、その長さ方向の全てが小径のリング部１０にて構成されている。
【００２７】
ここで、この実施形態では、中間連結部１３と大径のリング部１１との相対位置について、中間連結部１３の配置位置を大径のリング部１１の配置位置よりも上方側としているが、この相対位置に限らず、中間連結部１３の配置位置、及び、大径のリング部１１の配置位置は適宜変更が可能である。
【００２８】
この物干し器１は、物干し枠３の吊下げ状態として、図１に示すように、物干し竿等を設置対象箇所とする鉛直吊下げ状態（第１吊下げ状態に相当する）と、図３及び図４に示すように、室内等の開閉式のドア１８を設置対象箇所とするドア用吊下げ状態と、図６に示すように、鴨居や引き出し等を設置対象箇所１９とする横掛け吊下げ状態（第２吊下げ状態に相当する）とに変更自在に構成されている。
【００２９】
以下、物干し枠３の吊下げ状態の夫々について説明する。
【００３０】
（鉛直吊下げ状態）
鉛直吊下げ状態では、図１に示すように、フック部１４を物干し枠３の中心又は略中心上に位置させ、フック部１４を物干し竿等に引っ掛けて、物干し枠３を吊下げる状態としている。この場合には、第１〜第４紐状体６〜９の全てについて、物干し枠３に連結する側とは反対側の他端部（上端部）を紐状体取付具１２により基台１５に取り付けて、物干し枠３とは反対側の連結箇所（以下、上方側連結箇所と略称する）をフック部１４としている。これにより、吊下げ支持体２０は、フック部１４を物干し枠３の中心又は略中心上に位置させて、第１〜第４紐状体６〜９によって物干し枠３を水平姿勢又は略水平姿勢の所望姿勢にて吊下げ支持するように構成されている。
【００３１】
（ドア用吊下げ状態）
図３及び図４に示すように、吊下げ支持体２０は、物干し枠３をドア１８の前面に当て付けた状態で、ドア１８の上端部１８ａに引っ掛けられて、ドア１８の開閉を許容する状態で物干し枠３を水平姿勢又は略水平姿勢の所望姿勢にて吊下げ支持するように構成されている。吊下げ支持体２０は、複数の紐状体６〜９に加えて、ドア１８の上端部１８ａに引っ掛け自在なドア用フック体１７を備えており、複数の紐状体６〜９（連結体に相当する）が、ドア用フック体１７と物干し枠３とを連結して物干し枠３を吊下げ支持するように構成されている。吊下げ支持体２０におけるドア１８の上端部１８ａに対するドア引っ掛け部位（ドア用フック体１７）は、ドア１８の上端部１８ａと対向するドア用枠体の上枠との間の隙間よりも小なる厚みに構成されている。よって、吊下げ支持体２０は、ドア１８の上端部１８ａに吊下げ支持体２０を引っ掛けた状態でドア１８の開閉を許容する構成とされている。これにより、吊下げ支持体２０は、図１に示す鉛直吊下げ状態だけではなく、ドア１８を開閉自在な状態で物干し枠３を水平姿勢又は略水平姿勢の所望姿勢に吊下げ支持自在に構成されている。このドア用吊下げ状態では、物干し枠３をドア１８の前面に当て付けた状態で、物干し枠３を水平姿勢又は略水平姿勢の所望姿勢に吊下げ支持している。
【００３２】
ドア用フック体１７は、図３及び図４に示すように、ドア１８の上端部１８ａに引っ掛けるための第１〜第３板状部１７ａ〜１７ｃと、紐状体６〜９等を吊下げ支持自在なＪ字状の吊下げ支持部１７ｄとを備えている。第２板状部１７ｂは、ドア１８の厚さと同じ又は略同じ長さで水平方向に延びる薄板状に構成され、第１板状部１７ａは、第２板状部１７ｂの一端部から下方側に延びる薄板状に構成され、第３板状部１７ｃは、第２板状部１７ｂの他端部から下方側に延びる薄板状に構成されている。これにより、ドア用フック体１７をドア１８の上端部１８ａに引っ掛けることで、第２板状部１７ｂがドア１８の上端部１８ａに当接して第１板状部１７ａと第３板状部１７ｃとでドア１８を挟み込む状態となり、ドア用フック体１７をドア１８の上端部１８ａに引っ掛けた状態が適切に保持されることなる。また、ドア用フック体１７における第２板状部１７ｂは、図４に示すように、ドア１８の上端部１８ａと対向するドア用枠体の上枠との間の隙間よりも小なる厚みに構成されている。よって、ドア１８を閉じた状態においても、ドア１８の上端部１８ａと対向するドア用枠体の上枠との間の隙間に第２板状部１７ｂが収まることになり、ドア１８の開閉が許容されることになる。そして、第３板状部１７ｃは、第１板状部１７ａよりも長く構成されており、吊下げ支持部１７ｄが、第３板状部１７ｃの下端部に連設されている。
【００３３】
第３紐状体８の途中部位と第４紐状体９の途中部位とを連結する中間連結部１３は、ドア用フック体１７の吊下げ支持部１７ｄ（被係止部に相当する）に対して係止自在な係止部として構成されている。そして、吊下げ支持体２０は、中間連結部１３を吊下げ支持部１７ｄに係止させることで、複数の紐状体６〜９をドア用フック体１７に連結自在に構成され、逆に、吊下げ支持部１７ｄに対する中間連結部１３の係止を解除することで、複数の紐状体６〜９とドア用フック体１７とを分離自在に構成されている。これにより、吊下げ支持体２０としてのドア用フック体１７と複数の紐状体６〜９とは分離自在に構成されている。よって、使用者は、まず、ドア用フック体１７をドア１８の上端部１８ａに引っ掛ける操作を行い、次に、物干し枠３をドア１８の前面に当て付けた状態で、ドア１８に引っ掛けられたドア用フック体１７の吊下げ支持部１７ｄに対して中間連結部１３を係止させる操作を行うだけでよく、物干し器１をドア用吊下げ状態とする操作を簡易に行うことができる。このように、ドア１８に対して、ドア用フック体１７と物干し枠３とを別々に取り付けることができるが、ドア用フック体１７の吊下げ支持部１７ｄに対して中間連結部１３を係止させて、予めドア用フック体１７と物干し枠３とを連結させておき、物干し枠３が連結されたドア用フック体１７を、ドア１８の上端部１８ａに引っ掛けることもできる。
【００３４】
ちなみに、例えば、物干し枠３においてドア１８の前面から離れる側が接近する側よりも上方側に位置する傾斜姿勢に物干し枠３となっていても、ドア１８の前面に物干し枠３を当て付ける状態でドア用フック体１７をドア１８の上端部１８ａに引っ掛けることで、物干し枠３が水平姿勢又は略水平姿勢の所望姿勢となる。これにより、ドア用吊下げ状態では、物干し枠３が必ずしも水平姿勢又は略水平姿勢となっている必要はなく、物干し枠３がドア１８の前面から離れる側が接近する側よりも上方側に位置する多少の傾斜姿勢となっていてもよい。
【００３５】
（横掛け吊下げ状態）
図５及び図６に示すように、吊下げ支持体２０は、複数の紐状体６〜９の少なくとも一部において物干し枠３とは反対側（上端側）の連結箇所（上方側連結箇所）を、フック部１４から変更することで、物干し枠３の吊下げ状態を、図１に示す鉛直吊下げ状態とは異なる横掛け吊下げ状態に変更可能に構成されている。吊下げ支持体２０は、複数の紐状体６〜９の一部における上方側連結箇所を、他の紐状体８，９の途中部位として、横掛け吊下げ状態に変更自在に構成されている。
【００３６】
複数の紐状体６〜９のうち、どの紐状体における上方側連結箇所を、どの紐状体における途中部位に変更するかについて説明する。上述の如く、複数の紐状体６〜９は、物干し枠３に対する連結箇所（下方側連結箇所）が物干し枠３の中央部に対して一方側と他方側とに分散配置されている。ここで、図２において物干し枠３の長手方向を横方向とし且つ物干し枠３の短手方向を上下方向として見た場合に、物干し枠３の中央部に対して一方側が図２中上側となり、物干し枠３の中央部に対して他方側が図２中下側となる。そこで、下方側連結箇所が物干し枠３の中央部に対して一方側（図２中上側）に配置された第１紐状体６及び第２紐状体７における上方側連結箇所を、フック部１４から、下方側連結箇所が物干し枠３の中央部に対して他方側（図２中下側）に配置された第３紐状体８及び第４紐状体９の途中部位に変更している。
【００３７】
図５に示すように、第１紐状体６において上方側の紐状体取付具１２をフック部１４の基台１５から取り外し、図６に示すように、取り外した紐状体取付具１２を第３紐状体８の途中部位に位置する大径のリング部１１に付け替えることで、第１紐状体６における上方側連結箇所を、フック部１４から第３紐状体８の途中部位の大径のリング部１１に変更している。また、第２紐状体７についても、第１紐状体６と同様に、図５に示すように、第２紐状体７において上方側の紐状体取付具１２をフック部１４の基台１５から取り外し、図６に示すように、取り外した紐状体取付具１２を第４紐状体９の途中部位に位置する大径のリング部１１に付け替えることで、第２紐状体７における上方側連結箇所を、フック部１４から第４紐状体９の途中部位の大径のリング部１１に変更している。これにより、複数の紐状体６〜９にて連結されるフック部１４と物干し枠３との間の長さを調整することができ、フック部１４を物干し枠３の短辺部に沿う方向において中央部よりも他方側（図６中右側）に偏位させて位置させた状態で、物干し枠３を水平姿勢又は略水平姿勢の所望姿勢に吊下げ支持することができる。
【００３８】
ちなみに、例えば、物干し枠３において鴨居や引き出し等の設置対象箇所１９の壁部から離れる側が接近する側よりも上方側に位置する傾斜姿勢に物干し枠３となっていても、鴨居や引き出し等の設置対象箇所の壁部に物干し枠３を当て付ける状態でフック部１４を設置対象箇所１９に引っ掛けることで、物干し枠３が水平姿勢又は略水平姿勢の所望姿勢となる。これにより、横掛け吊下げ状態では、物干し枠３が必ずしも水平姿勢又は略水平姿勢となっている必要はなく、物干し枠３が設置対象箇所１９の壁部から離れる側が接近する側よりも上方側に位置する多少の傾斜姿勢となっていてもよい。
【００３９】
第１紐状体６及び第２紐状体７における上方側連結箇所を、第３紐状体８及び第４紐状体９の途中部位に変更する際に、第３紐状体８及び第４紐状体９における大径のリング部１１に変更している。横掛け吊下げ状態とする場合に、物干し枠３を所望姿勢に吊下げ支持するために、複数の紐状体６〜９にて連結されるフック部１４と物干し枠３との間の長さを適切な長さとすべく、第３紐状体８及び第４紐状体９における大径のリング部１１の配置位置が調整されている。これにより、第１紐状体６及び第２紐状体７における上方側連結箇所を、第３紐状体８及び第４紐状体９における大径のリング部１１とすることで、物干し枠３を所望姿勢に吊下げ支持することが的確に行える。
【００４０】
第３紐状体８及び第４紐状体９において、大径のリング部１１は、その他の部位における小径のリング部１０に対して、使用者が識別可能となっている。これにより、第３紐状体８及び第４紐状体９における大径のリング部１１は、第１紐状体６及び第２紐状体７における上方側連結箇所を示す目印部として構成されている。よって、使用者は、第１紐状体６及び第２紐状体７における上方側連結箇所を、第３紐状体８及び第４紐状体９の所望位置となる大径のリング部１１に容易に付け替えることができる。
【００４１】
図６に示すものでは、第１紐状体６及び第２紐状体７における上方側連結箇所を、第３紐状体８及び第４紐状体９の大径のリング部１１に変更しているが、第３紐状体８及び第４紐状体９の小径のリング部１０に変更することもできる。例えば、設置対象箇所１９の壁部の形状や設置対象箇所１９における引っ掛け位置等、設置対象箇所１９との関係により、物干し枠３を所望姿勢にて吊下げ支持するためには、第１紐状体６及び第２紐状体７における上方側連結箇所を、第３紐状体８及び第４紐状体９の大径のリング部１１よりも少し上方側又は少し下方側に変更させた方がよい場合もある。そこで、このような場合には、第１紐状体６及び第２紐状体７における上方側連結箇所を、第３紐状体８及び第４紐状体９の大径のリング部１１よりも上方側又は下方側に位置する小径のリング部１０に変更することができる。これにより、吊下げ支持体２０は、第１紐状体６及び第２紐状体７における上方側連結箇所を、第３紐状体８及び第４紐状体９の途中部位において位置変更自在に構成されている。
【００４２】
以上の如く、吊下げ支持体２０は、図１に示す鉛直吊下げ状態だけでなく、図４に示すように、ドア用フック体１７に中間連結部１３を係止させることで、ドア用吊下げ状態に変更することができるとともに、図６に示すように、第１紐状体６及び第２紐状体７における上方側連結箇所を第３紐状体８及び第４紐状体９の途中部位に付け替えることで、横掛け吊下げ状態に変更することもできる。これにより、設置対象箇所として、物干し竿等に限ることなく、室内等の開閉式のドア１８、及び、鴨居や引き出し等も適用可能とすることができる。
【００４３】
〔別実施形態〕
（１）上記実施形態では、物干し枠３として、平面視で長辺部と短辺部とを有する長方形の環状に形成されているものを例示したが、例えば、図７に示すように、平面視で正方形の環状に形成された物干し枠３ａを適用することができ、物干し枠３の形状や大きさ等については適宜変更が可能である。
【００４４】
（２）上記実施形態では、第１〜第４紐状体６〜９の４つを備えた例を示したが、紐状体の本数は４本に限らず、紐状体の本数や長さ等は適宜変更可能である。
【００４５】
（３）上記実施形態では、複数の紐状体６〜９の夫々をチェーンにて構成しているが、例えば、ワイヤー等、その他の紐状体を適用することも可能である。
【００４６】
（４）上記実施形態では、横掛け吊下げ状態において、下方側連結箇所が物干し枠３の中央部に対して一方側（図２中右側）に配置された第１紐状体６及び第２紐状体７における上方側連結箇所を、フック部１４から、下方側連結箇所が物干し枠３の中央部に対して他方側（図２中左側）に配置された第３紐状体８及び第４紐状体９の途中部位に変更しているが、上方側連結箇所を変更させる紐状体をどの紐状体とするか、及び、その上方側連結箇所の変更対象となる紐状体をどの紐状体とするかについては適宜変更が可能である。
また、複数の紐状体の一部における上方側連結箇所をフック部から変更するに当たり、紐状体の途中部位に限らず、その他の箇所に変更することもできる。
【００４７】
（５）上記実施形態では、第３紐状体８及び第４紐状体９の途中部位に大径のリング部１１を備えることで、大径のリング部１１を第１紐状体６及び第２紐状体７の上方側連結箇所の目印としているが、この大径のリング部１１に加えて又は大径のリング部１１とは別に、第１紐状体６及び第２紐状体７の上方側連結箇所を示す目印部（他の部位と異なる色を記す等）を備えることができる。
【符号の説明】
【００４８】
１          物干し器
２          ピンチ
３          物干し枠
６          第１紐状体
７          第２紐状体
８          第３紐状体
９          第４紐状体
１１        大径のリング部
１４        フック部
１９        設置対象箇所
２０        吊下げ支持体
【図１】
2018050773.tif 000003
【図２】
2018050773.tif 000004
【図３】
2018050773.tif 000005
【図４】
2018050773.tif 000006
【図５】
2018050773.tif 000007
【図６】
2018050773.tif 000008
【図７】
2018050773.tif 000009